(57)【要約】【課題】酸素富化空気を送る連結管が容易に外れることの無い酸素富化機を提供する。【解決手段】本体１に内蔵され酸素富化空気を発生させる酸素富化手段２と、前記酸素富化手段２で得られた酸素富化空気を前記本体１外に吐出する吐出口部６と、前記吐出口部６と連通する中継部１３と前記酸素富化空気を吐出する吐出部７とを有すると共に使用者の頭部に保持される頭部保持部８と、前記中継部１３と前記吐出部７を連通する連結管１４と、前記中継部１３と前記吐出部７のそれぞれに取り付けられた保持部Ｂ１６とを備え、前記連結管１４の両端に前記連結管１４内を通した板金部品（図示せず）を挟み込んで固定保持すると共に前記保持部Ｂ１６に着脱自在な保持部Ａ１５を設けたもので、中継部１３と吐出部７をつなぐ連結管１４を機械的に確実に固定することができ、使用時に外れることが無く、品質が良く、使用性の高い酸素富化機を提供することができる。【選択図】図１
2007054223.tif 000002
【特許請求の範囲】
【請求項１】
本体に内蔵され酸素富化空気を発生させる酸素富化手段と、前記酸素富化手段で得られた酸素富化空気を前記本体外に吐出する吐出口部と、前記吐出口部と連通する中継部と前記酸素富化空気を吐出する吐出部とを有すると共に使用者の頭部に保持される頭部保持部と、前記中継部と前記吐出部を連通する連結管と、前記中継部と前記吐出部のそれぞれに取り付けられた保持部Ｂとを備え、前記連結管の両端には前記連結管内を通した板金部品を固定保持すると共に前記保持部Ｂに着脱自在な保持部Ａを設けた酸素富化機。
【請求項２】
本体に内蔵され酸素富化空気を発生させる酸素富化手段と、前記酸素富化手段で得られた酸素富化空気を前記本体外に吐出する吐出口部と、前記吐出口部と連通する中継部と前記酸素富化空気を吐出する吐出部とを有すると共に使用者の頭部に保持される頭部保持部と、前記中継部と前記吐出部を連通する連結管と、前記中継部と前記吐出部のそれぞれに取り付けられた保持部Ｂとを備え、前記連結管は、酸素富化空気を通す酸素パイプに板金部品をインサート成形して構成し、前記連結管の両端には前記板金部品を固定保持すると共に前記保持部Ｂに着脱自在な保持部Ａを設けた酸素富化機。
【請求項３】
連結管の両端に嵌合部を設け、この嵌合部を保持部Ａに嵌合固定した請求項２記載の酸素富化機。
【発明の詳細な説明】
【技術分野】
【０００１】
本発明は、酸素富化手段を用いて得られる所謂酸素富化空気を使用者に提供する酸素富化機に関するものである。
【背景技術】
【０００２】
従来の酸素富化機は、酸素の透過速度が窒素の透過速度より早い酸素富化膜と、前記酸素富化膜を通して大気を吸引する吸引ポンプと、中継部と酸素富化空気を放出する吐出部を有すると共に使用者の頭にセットする頭部保持部と、前記吸引ポンプと中継部を連通する連結管と、前記中継部と吐出部とを連通する連結管を備え、前記吐出部より使用者の口元に酸素富化空気を提供するようにしている（例えば、特許文献１参照）。
【０００３】
一般に、中継部と吐出部をつなぐ連結管の外側は軟質部材のチューブで形成され、内部に板金部品と管Ａを備え、板金部材を中継部、吐出部に接着により固定するようにしていた。
【０００４】
また、軟質部材からなるチューブは、接着剤で固定することができないために、軟質部材のチューブと中継部、吐出部の間から酸素富化空気が漏れて、供給される酸素富化空気の流量が減ったり、チューブが破れそこから酸素富化空気が漏れるのを防止するためにチューブの両端部にウレタンフォームを挿入して酸素富化空気をチューブと管Ａの間に流さないようにしている。
【特許文献１】特開２００４−２１５７５７号公報
【発明の開示】
【発明が解決しようとする課題】
【０００５】
しかしながら、上記従来の酸素富化機の中継部と吐出部をつなぐ連結管の板金部材を中継部、吐出口部に接着により固定するだけだったので、容易に外れるという課題があった。
【０００６】
又、接着剤が十分についている場合は、強度が十分確保されると考えられるが、接着剤の量のばらつき、乾き具合、また、部材のばらつきにより十分に接着されず外れることが多かった。
【０００７】
本発明は、前記従来の課題を解決するもので、少ない部品点数で、組み立てやすく、かつ部品や接着剤のばらつき等による外れや、性能が低下することのない品質の良い酸素富化機を提供することを目的とする。
【課題を解決するための手段】
【０００８】
前記従来の課題を解決するために、本発明の酸素富化機は、本体に内蔵され酸素富化空気を発生させる酸素富化手段と、前記酸素富化手段で得られた酸素富化空気を前記本体外に吐出する吐出口部と、前記吐出口部と連通する中継部と前記酸素富化空気を吐出する吐出部とを有すると共に使用者の頭部に保持される頭部保持部と、前記中継部と前記吐出部を連通する連結管と、前記中継部と前記吐出部のそれぞれに取り付けられた保持部Ｂとを備え、前記連結管の両端には前記連結管内を通した板金部品を固定保持すると共に前記保持部Ｂに着脱自在な保持部Ａを設けた構成としてあり、中継部と吐出部をつなぐ連結管を機械的に確実に固定することができ、使用時に外れることが無く、品質が良く、使用性の高い酸素富化機を提供することができる。
【０００９】
また、本発明の酸素富化機は、本体に内蔵され酸素富化空気を発生させる酸素富化手段と、前記酸素富化手段で得られた酸素富化空気を前記本体外に吐出する吐出口部と、前記吐出口部と連通する中継部と前記酸素富化空気を吐出する吐出部とを有すると共に使用者の頭部に保持される頭部保持部と、前記中継部と前記吐出部を連通する連結管と、前記中継部と前記吐出部のそれぞれに取り付けられた保持部Ｂとを備え、前記連結管は、酸素富化空気を通す酸素パイプに板金部品をインサート成形して構成し、前記連結管の両端には前記板金部品を固定保持すると共に前記保持部Ｂに着脱自在な保持部Ａを設けた構成としてあり、軟質部材のチューブとは違い、破れにくく、また、一体化することにより部品ばらつきが少なく、性能低下のない、組み立て性に優れた酸素富化機を提供することができる。
【発明の効果】
【００１０】
本発明の酸素富化機は、頭部保持部の中継部と吐出部をつなぐ連結管の固定が確実になるので品質が良く、使用性に優れたものである。
【発明を実施するための最良の形態】
【００１１】
第１の発明は、本体に内蔵され酸素富化空気を発生させる酸素富化手段と、前記酸素富化手段で得られた酸素富化空気を前記本体外に吐出する吐出口部と、前記吐出口部と連通する中継部と前記酸素富化空気を吐出する吐出部とを有すると共に使用者の頭部に保持される頭部保持部と、前記中継部と前記吐出部を連通する連結管と、前記中継部と前記吐出部のそれぞれに取り付けられた保持部Ｂとを備え、前記連結管の両端には前記連結管内を通した板金部品を固定保持すると共に前記保持部Ｂに着脱自在な保持部Ａを設けた構成としてあり、中継部と吐出部をつなぐ連結管を機械的に確実に固定することができ、使用時に外れることが無く、品質が良く、使用性の高い酸素富化機を提供することができる。
【００１２】
第２の発明は、本体に内蔵され酸素富化空気を発生させる酸素富化手段と、前記酸素富化手段で得られた酸素富化空気を前記本体外に吐出する吐出口部と、前記吐出口部と連通する中継部と前記酸素富化空気を吐出する吐出部とを有すると共に使用者の頭部に保持される頭部保持部と、前記中継部と前記吐出部を連通する連結管と、前記中継部と前記吐出部のそれぞれに取り付けられた保持部Ｂとを備え、前記連結管は、酸素富化空気を通す酸素パイプに板金部品をインサート成形して構成し、前記連結管の両端には前記板金部品を固定保持すると共に前記保持部Ｂに着脱自在な保持部Ａを設けた構成としてあり、軟質部材のチューブとは違い、破れにくく、また、一体化することにより部品ばらつきが少なく、性能低下のない、組み立て性に優れた酸素富化機を提供することができる。
【００１３】
第３の発明は、特に、第２の発明の連結管の両端に嵌合部を設け、この嵌合部を保持部Ａに嵌合固定したもので、軟質部材のチューブと異なり、破れにくく、また、一体化することにより部品ばらつきが少なく、又性能低下がなく、固定強度を増した酸素富化機を提供することができる。
【００１４】
以下、本発明の実施の形態について、図面を参照しながら説明する。なお、この実施の形態によって本発明が限定されるものではない。
【００１５】
（実施の形態１）
図１は本発明の第１の実施の形態における酸素富化機の全体構成を示す図、図２は同酸素富化機の連結管及びそれの取り付け部の断面図である。
【００１６】
図１、２において、酸素富化機本体１（以下、「本体１と」称す）の内部には、前記本体１内に吸引した空気の酸素の濃度を高め、所謂酸素富化空気を発生する酸素富化膜（図示せず）からなる酸素富化手段２を配設している。前記酸素富化手段２を通過することで空気の酸素濃度は、通過前の通常の２１％（窒素約７９％）から、約３０％（窒素約７０％）に高められる。
【００１７】
また、本体１の内部には、本体１の背面に設けた吸気口３から前記本体１内に外気を吸引する給排気手段１２が設けてあり、本体１内に吸引された外気は、酸素富化手段２の外周に送られ、酸素富化手段２の酸素富化膜を通過することで酸素が少なくなった残りの空気は、給排気手段１２により本体１の側面に設けた排気口４から外部へと排出される。５は、ポンプ（図示せず）などで構成され、前記本体１内に吸引された空気の一部を、酸素富化手段２の酸素富化膜を通して吸引する吸引手段で、その吐出側は、本体１の側面に設けられた吐出口部６と連通されている。
【００１８】
８は、使用者の頭（図示せず）に装着する頭部保持部で、チューブ９を介して吐出口部６と連結される中継部１３を備えている。中継部１３は、さらに、端部に酸素富化空気を外部に吐出する吐出部７を有する連結管１４と連結されている。
【００１９】
１０は、給排気手段１２の反対側に位置しており本体１の操作部１１により操作設定された運転時間、運転状況を掴み、通常は運転を行い、異常がある場合は、停止する等の制御を行う制御手段である。
【００２０】
連結管１４の両端には、保持部Ａ１５、保持部Ｂ１６が配され、中継部１３、吐出部７に爪（図示せず）にて固定されるようになっている。
【００２１】
次に、図２を用いて連結管１４の詳細な構成について説明する。
【００２２】
連結管１４の中央に配置しているのが酸素パイプ１７で板金部品１８をその回りに配している。また、連結管１４の外郭は軟質チューブ１９からなり、軟質チューブ１９の両端のそれぞれと酸素パイプ１７との間にパッキン２０を配している。図２に示すように、連結管１４の両端に、内側形状が板金部品１８の端部形状と同じ保持部Ａ１５をはめ込み、また、爪２１、バネ２２を設けて保持部Ｂ１６と着脱自在に構成されている。保持部Ｂ１６には、Ｏリング２３をつけており、中継部１３、吐出部７に着脱自在に取り付けられる。
【００２３】
以上のように構成された酸素富化機についてその動作、作用を説明する。
【００２４】
まず、酸素富化空気を吐出部７から出して吸引するために、頭部保持部８を頭につけ、吐出部７の位置を口元に合わせる。このとき、酸素パイプ１７だけでは、屈曲に耐えられず、折れ曲がる、また、ある程度の位置に保持するために、板金部品１８を合わせて軟質チューブ１９内に配し、酸素パイプ１７だけを酸素富化空気が通るように、パッキン２０を配している。また、板金部品１８の両端には凹部１８ａが設けられ、保持部Ａ１５に収まるように、機械的保持をすることにより抜け防止をしている。
【００２５】
また、保持部Ａ１５と保持部Ｂ１６とは爪２１により結合され、着脱できるようにし、また、保持部Ｂ１６は中継部１３と吐出部７のいずれにも嵌合し、着脱できる。また、逆にして使うことも可能である。
【００２６】
以上のように、本実施の形態によれば、中継部１３と吐出部７をつなぐ連結管１４を機械的に固定しているので、連結管１４が使用中に外れることがなく、品質も良く、使用性の高い酸素富化機を提供することができる。
【００２７】
（実施の形態２）
図３は、本発明の実施の形態２における酸素富化機の連結管の接続状態を示す断面図と連結管の断面図である。尚、上記第１の実施の形態と同一部分については同一符号を付してその説明を省略する。
【００２８】
本実施の形態における酸素富化機の連結管１４の中央には、酸素パイプ１７が配置され、その周りに板金部品１８が配され、連結管１４の外郭は、軟質材による一体成形品２４で形成されている。
【００２９】
上記構成による酸素富化機の動作を説明する。
【００３０】
酸素富化空気を吐出部７から出して吸引するために、頭部保持部８を頭につけ、吐出部７を口の位置に調整する。このとき、酸素パイプ１７だけでは、屈曲に耐えられず、折れ曲がる、また、ある程度の位置に保持するために、板金部品１８と合わせて一体成形品２４内に配し、酸素パイプ１７内だけを酸素富化空気が通るようにしている。このように一体成型品２４をつかうことにより、パッキンなどの挿入の際に発生する作業ばらつきによる性能低下がなくなる。
【００３１】
以上のように本実施の形態によれば、軟質部材からなるチューブとは違い破れにくく、また、一体化することにより部品ばらつきが少なく、性能低下のない、組み立て性が向上した酸素富化機を提供することができる。
【００３２】
（実施の形態３）
図４は、本発明の実施の形態３における酸素富化機の連結管の接続状態を示す断面図と連結管の断面図である。尚、上記実施の形態と同一部分については同一符号を付してその説明を省略する。
【００３３】
本実施の形態における酸素富化機の連結管１４は、図４に示すように、中央に酸素パイプ１７を配し、その周りに板金部品１８を配し、外郭を、嵌合部となる凹部２５ａを有した一体成形品２５で構成し、前記凹部２５ａに嵌合する被嵌合部となる凸部１５ａを、保持部Ａ１５の前記凹部２５ａと対向する位置に設けたものである。
【００３４】
上記構成により、酸素富化空気を吐出部７から出して吸引するために、頭部保持部８を頭につけ、吐出部７を口の位置に調整する。このとき、酸素パイプ１７だけでは、屈曲に耐えられず、折れ曲がる、また、ある程度の位置に保持するために、板金部品１８と合わせて凹部２５ａを有した一体成形品２５内に配し、酸素パイプ１７だけを酸素富化空気が通るようにしている。このように一体成形品２５をつかうことにより、パッキン挿入のような作業ばらつきによる性能低下がなくなる。また、凹部２５ａを有した一体成形品２５と保持部Ａ１５を嵌合させることにより、板金部品１８だけで強度を持たせていたのが、別のところでも持たせることが出来るので、取り付け強度が高まり、さらに外からは見えないために、品質がよくなる。
【００３５】
以上のように本実施の形態によれば、軟質部材のチューブと異なり破れにくく、また、一体化することにより部品ばらつきが少なく、性能低下のない、さらに、固定強度を増した酸素富化機を提供することができる。
【００３６】
尚、上記実施の形態では、一体成形品２５側に凹部２５ａを有した一体成形品２５で構成し、前記凹部２５ａに嵌合する凸部１５ａを、保持部Ａ１５の前記凹部２５ａと対向する位置に設けたが、その逆、すなわち、外郭を凸部を有した一体成形品で構成し、前記凸部に嵌合する凹部を、保持部Ａ１５に設けても良い。
【産業上の利用可能性】
【００３７】
以上のように本発明にかかる酸素富化機は、連結管を機械的に保持することにより、部品のばらつき、接着剤のばらつき等による外れ、性能低下することのない品質の良いものを、また、部品点数が少なく、組み立てやすい酸素富化機を提供することを目的とし、さらに応用展開ができ家庭用や業務用途に有用である。
【図面の簡単な説明】
【００３８】
【図１】本発明の実施の形態１における酸素富化機の全体構成を示す図
【図２】（ａ）同酸素富化機の連結管の取り付け状態を示す断面図、（ｂ）同連結管の断面図
【図３】（ａ）本発明の実施の形態２における酸素富化機の連結管の取り付け状態を示す断面図、（ｂ）同連結管の断面図
【図４】（ａ）本発明の実施の形態３における酸素富化機の連結管の取り付け状態を示す断面図、（ｂ）同連結管の断面図
【符号の説明】
【００３９】
１      酸素富化機本体（本体）
２      酸素富化手段
６      吐出口部
７      吐出部
８      頭部保持部
９      チューブ
１３    中継部
１４    連結管
１５    保持部Ａ
１５ａ  凸部（被嵌合部）
１６    保持部Ｂ
１７    酸素パイプ
１８    板金部品
２４、２５  一体成形品
２５ａ  凹部（嵌合部）
【図１】
2007054223.tif 000003
【図２】
2007054223.tif 000004
【図３】
2007054223.tif 000005
【図４】
2007054223.tif 000006